(57)【特許請求の範囲】
【請求項１】
操作部に対する操作を無効とするチャイルドロック機能を有するナビゲーション装置であって、
前記チャイルドロック機能の有効時に前記操作部に対する操作が実施された場合の動作について、複数のガードレベルに対応付けて複数のパターンを規定したテーブルを記憶する記憶媒体と、
前記チャイルドロック機能の有効時に前記操作部に対する操作が実施されると、前記記憶媒体に記憶されたテーブルを参照して、予め設定されたガードレベルに対応するパターンに従った動作を実施する実施手段と、
前記チャイルドロック機能の無効時に前記操作部に対して実施された操作内容に基づいてユーザの成熟の度合いを推定する手段と、この推定したユーザの成熟の度合いに応じて前記ガードレベルの設定を変更する手段と、を備え、
前記実施手段は、前記ユーザの成熟の度合いに応じて変更された前記ガードレベルに対応するパターンに従った動作を実施することを特徴とするナビゲーション装置。
【請求項２】
前記テーブルには、特定のガードレベルに対応付けて、前記操作部に対する本来の操作を無効とし、前記操作部に対する操作に応じて予め登録された複数の音を切り替えてスピーカより出力させる動作が規定されていることを特徴と請求項１に記載のナビゲーション装置。
【請求項３】
前記チャイルドロック機能の有効時に、ユーザ操作に応じて前記テーブルに規定された前記複数の音および前記スピーカより出力させる順序を登録することが可能となっていることを特徴とする請求項２に記載のナビゲーション装置。
【請求項４】
前記テーブルには、特定のガードレベルに対応付けて、前記操作部に対する本来の操作を無効とし、前記操作部に対する操作に応じて予め登録された複数の画像を切り替えて表示手段に表示させる動作が規定されていることを特徴と請求項１に記載のナビゲーション装置。
【請求項５】
前記チャイルドロック機能の有効時に、ユーザ操作に応じて前記テーブルに規定された前記複数の画像および前記表示手段に表示させる順序を登録することが可能となっていることを特徴とする請求項４に記載のナビゲーション装置。
【請求項６】
前記テーブルには、特定のガードレベルに対応付けて、前記操作部に対する本来の操作を無効とし、前記操作部に対する操作に応じて予め登録された機能を実施する動作が規定されていることを特徴と請求項１に記載のナビゲーション装置。
【請求項７】
前記予め登録された機能は、ゲームであることを特徴とする請求項６に記載のナビゲーション装置。
【請求項８】
遠隔操作するためのリモコンを備え、
前記リモコンに対する操作に応じて前記チャイルドロック機能の有効または解除を実施することを特徴とする請求項１ないし７のいずれか１つに記載のナビゲーション装置。
【請求項９】
予め定められた複数の前記操作部に対する同時操作に応じて前記チャイルドロック機能の有効または解除を実施することを特徴とする請求項１ないし７のいずれか１つに記載のナビゲーション装置。
【請求項１０】
予め定められた前記操作部に対する長押し操作に応じて前記チャイルドロック機能の有効または解除を実施することを特徴とする請求項１ないし７のいずれか１つに記載のナビゲーション装置。
【請求項１１】
複数の前記操作部に対する特定の操作順序に応じて前記チャイルドロック機能の有効または解除を実施することを特徴とする請求項１ないし７のいずれか１つに記載のナビゲーション装置。
【請求項１２】
搭載車両の車速を特定し、当該搭載車両の車速に応じて前記ガードレベルの設定を変更するようにし、
前記実施手段は、前記搭載車両の車速に応じて変更された前記ガードレベルに対応するパターンに従った動作を実施することを特徴とする請求項１ないし１１のいずれか１つに記載のナビゲーション装置。
【発明の詳細な説明】
【技術分野】
【０００１】
本発明は、操作部に対する操作を無効とするチャイルドロック機能を有するナビゲーション装置に関するものである。
【背景技術】
【０００２】
従来、温水機器のリモコンとして、チャイルドロック機能をＯＮにしている間は、表示画面にチャイルドロック機能の解除方法を表示するようにしたものがある（例えば、特許文献１参照）。
【先行技術文献】
【特許文献】
【０００３】
【特許文献１】特開２００５−６１７９４号公報
【発明の概要】
【発明が解決しようとする課題】
【０００４】
ところで、ナビゲーション装置が設置される車両内は閉鎖された空間であるため、子供が同乗しているような場合、子供が退屈して欲求不満となりやすい。その結果、欲求不満の捌け口として、ナビゲーション装置の操作部を触ろうとする傾向がある。
【０００５】
しかし、製品機能を理解していない子供がナビゲーション装置の操作部を触ると、経路案内機能やオーディオの各種設定が意図しない設定に変更されてしまい、その後の使用に支障をきたすことになりかねないといった問題がある。
【０００６】
上記特許文献１に記載された装置は、チャイルドロック機能をＯＮにすることにより、各種設定が意図しない設定に変更されてしまうことを防止することはできるが、子供等の欲求を満たすことはできない。そもそも、上記特許文献１に記載されたような装置は、車両内のような閉鎖された空間ではなく居住空間に設置されるものであり、子供等の欲求を満たすことも求められない。
【０００７】
本発明は上記問題に鑑みたもので、チャイルドロック機能を果たしつつ子供等の欲求を満たすことをも可能とすることを目的とする。
【課題を解決するための手段】
【０００８】
上記目的を達成するため、請求項１に記載の発明は、操作部に対する操作を無効とするチャイルドロック機能を有するナビゲーション装置であって、チャイルドロック機能の有効時に操作部に対する操作が実施された場合の動作について、複数のガードレベルに対応付けて複数のパターンを規定したテーブルを記憶する記憶媒体と、チャイルドロック機能の有効時に操作部に対する操作が実施されると、記憶媒体に記憶されたテーブルを参照して、予め設定されたガードレベルに対応するパターンに従った動作を実施する実施手段と、チャイルドロック機能の無効時に操作部に対して実施された操作内容に基づいてユーザの成熟の度合いを推定する手段と、この推定したユーザの成熟の度合いに応じてガードレベルの設定を変更する手段と、を備え、実施手段は、ユーザの成熟の度合いに応じて変更されたガードレベルに対応するパターンに従った動作を実施することを特徴としている。
【０００９】
このような構成によれば、チャイルドロック機能の有効時に操作部に対する操作が実施されると、記憶媒体に記憶されたテーブルを参照して、予め設定されたガードレベルに対応するパターンに従った動作が実施されるので、チャイルドロック機能を果たしつつ子供等の欲求を満たすことが可能である。また、チャイルドロック機能の無効時に操作部に対して実施された操作内容に基づいてユーザの成熟の度合いを推定し、ユーザの成熟の度合いに応じてガードレベルの設定を変更するようにし、このガードレベルに対応するパターンに従った動作を実施することもできる。
【００１０】
また、請求項２に記載の発明では、テーブルには、特定のガードレベルに対応付けて、操作部に対する本来の操作を無効とし、操作部に対する操作に応じて予め登録された複数の音を切り替えてスピーカより出力させる動作が規定されているので、操作部に対する操作に応じて予め登録された複数の音を切り替えてスピーカより出力させることができる。
【００１１】
また、請求項３に記載の発明では、チャイルドロック機能の有効時に、ユーザ操作に応じてテーブルに規定された複数の音およびスピーカより出力させる順序を登録することが可能となっているので、ユーザの好みに合った音をユーザの好みに合った順序でスピーカより出力させることが可能である。
【００１２】
また、請求項４に記載の発明では、テーブルには、特定のガードレベルに対応付けて、操作部に対する本来の操作を無効とし、操作部に対する操作に応じて予め登録された複数の画像を切り替えて表示手段に表示させる動作が規定されているので、操作部に対する操作に応じて予め登録された複数の画像を切り替えて表示手段に表示させることができる。
【００１３】
また、請求項５に記載の発明では、チャイルドロック機能の有効時に、ユーザ操作に応じてテーブルに規定された複数の画像および表示手段に表示させる順序を登録することが可能となっているので、ユーザの好みに合った画像をユーザの好みに合った順序で表示手段に表示させることができる。
【００１４】
また、請求項６に記載の発明では、テーブルには、特定のガードレベルに対応付けて、操作部に対する本来の操作を無効とし、操作部に対する操作に応じて予め登録された機能を実施する動作が規定されているので、操作部に対する操作に応じて予め登録された機能を実施することができる。
【００１５】
ここで、予め登録された機能としては、請求項７に記載の発明のように、ゲームとすることができる。
【００１６】
また、請求項８に記載の発明は、遠隔操作するためのリモコンを備え、リモコンに対する操作に応じてチャイルドロック機能の有効または解除を実施することを特徴としている。
【００１７】
このような構成によれば、子供等に気付かれないようにチャイルドロック機能の有効または解除を操作することが可能である。
【００１８】
また、チャイルドロック機能の有効または解除のための操作が簡単な操作でできてしまうと、子供等が操作部を操作しているうちにチャイルドロック機能の状態が切り替わってしまうことが考えられるが、請求項９に記載の発明のように、予め定められた複数の操作部に対する同時操作に応じてチャイルドロック機能の有効または解除を実施することにより、子供等が操作部を操作しているうちにチャイルドロック機能の状態が切り替わってしまうことを防止することが可能である。
【００１９】
また、請求項１０に記載の発明のように、予め定められた操作部に対する長押し操作に応じてチャイルドロック機能の有効または解除を実施することにより、子供等が操作部を操作しているうちにチャイルドロック機能の状態が切り替わってしまうことを防止することも可能である。
【００２０】
また、請求項１１に記載の発明のように、複数の操作部に対する特定の操作順序に応じてチャイルドロック機能の有効または解除を実施することにより、子供等が操作部を操作しているうちにチャイルドロック機能の状態が切り替わってしまうことを防止することも可能である。
【００２１】
また、請求項１２に記載の発明では、搭載車両の車速を特定し、当該搭載車両の車速に応じてガードレベルの設定を変更するようにし、実施手段は、搭載車両の車速に応じて変更されたガードレベルに対応するパターンに従った動作を実施することを特徴としている。
【００２２】
このように、搭載車両の車速に応じてガードレベルの設定を変更するようにし、このガードレベルに対応するパターンに従った動作を実施することができる。
【図面の簡単な説明】
【００２５】
【図１】本発明の一実施形態に係るナビゲーション装置の構成を示す図である。
【図２】本ナビゲーション装置を正面から見た図である。
【図３】制御装置による初期設定処理のフローチャートである。
【図４】制御装置のフローチャートである。
【発明を実施するための形態】
【００２６】
本発明の一実施形態に係るナビゲーション装置の構成を図１に示す。本ナビゲーション装置１は、位置検出器１０、地図データ記憶装置１１、操作部１２、表示装置１３、外部メモリ１４、マイク１５、スピーカ１６および制御装置１７を備えている。
【００２７】
位置検出器１０は、加速度センサ１０ａ、ジャイロセンサ１０ｂ、距離センサ１０ｃおよびＧＰＳ受信機１０ｄを有し、現在位置を特定するための情報を制御装置１７へ出力する。
【００２８】
地図データ記憶装置１１は、地図データを記憶した記憶媒体から地図データを読み出して制御装置１７へ入力するための装置である。地図データには、道路データ、位置検出精度を向上するためのいわゆるマップマッチングデータ、背景データ、施設データ等が含まれる。また、地図データを記憶した記憶媒体としては、ＣＤ、ＤＶＤ、ＨＤＤ（ハードディスクドライブ）、メモリカード等がある。
【００２９】
操作部１２は、表示装置１３のディスプレイに重ねて設けられたタッチスイッチ、表示装置１３のディスプレイの周囲に設けられたメカニカルスイッチ等によって構成され、ユーザのスイッチ操作に応じた信号を制御装置１７に出力する。
【００３０】
表示装置１３は、液晶等のディスプレイを有し、制御装置１７より入力される映像信号に応じた映像をディスプレイに表示させる。
【００３１】
外部メモリ１４は、後述する制御装置１７に内蔵されたメモリとは異なるメモリである。本実施形態における外部メモリ１４は、着脱可能なフラッシュメモリとして構成されている。
【００３２】
マイク１５は、車室内の音を集音するためのもので、集音した車室内の音に応じた音声信号を制御装置１７に出力する。
【００３３】
スピーカ１６は、制御装置１７より入力される音声信号に応じた音声を出力するものである。
【００３４】
制御装置１７は、ＣＰＵ、ＲＡＭ、ＲＯＭ、フラッシュメモリ、Ｉ／Ｏ等を備えたコンピュータとして構成されており、ＣＰＵはＲＯＭに記憶されたプログラムに従って各種処理を実施する。
【００３５】
制御装置１７の処理としては、位置検出器１０より入力される現在位置を特定するための信号に応じて搭載車両の現在位置を特定する現在位置特定処理、搭載車両の現在位置周辺の地図上に自車位置マークを重ねて表示させる地図表示処理、ユーザの操作部１２の操作に応じて目的地を検索する目的地検索処理、目的地に至る案内経路を探索する経路探索処理等がある。
【００３６】
図２に、本ナビゲーション装置１を正面から見た図を示す。この図に示すように、表示装置１３のディスプレイの周囲には、多数の操作スイッチ１２ａが配置されている。
【００３７】
本ナビゲーション装置１は、表示装置１３のディスプレイに重ねて設けられたタッチスイッチ、図２に示される各操作スイッチ１２ａ等の操作部１２に対する操作を無効とするチャイルドロック機能を有している。このチャイルドロック機能を有効にすることにより、子供が操作部１２を触って各種設定が変更されてしまうといったことを防止することができる。
【００３８】
本ナビゲーション装置１における制御装置１７のフラッシュメモリには、チャイルドロック機能の有効時に操作部１２に対する操作が実施された場合の動作について、複数のガードレベルに対応付けて複数のパターンを規定したテーブルが記憶されている。
【００３９】
制御装置１７は、チャイルドロック機能の有効時に操作部１２に対する操作が実施されると、フラッシュメモリに記憶されたテーブルを参照して、予め設定されたガードレベルに対応するパターンに従った動作を実施する。
【００４０】
また、本ナビゲーション装置１は、チャイルドロック機能の有効および無効の操作方法およびテーブルに登録されている動作設定の変更を行う初期設定処理を実施するようになっている。
【００４１】
図３に、この初期設定処理のフローチャートを示す。本ナビゲーション装置１は、車両のイグニッションスイッチがオンすると動作状態となる。また、制御装置１７は、ユーザ操作に応じて設定画面の表示を指示する信号が入力されると、図３に示す処理を実施する。
【００４２】
まず、表示装置のディスプレイに設定画面を表示させる（Ｓ１００）。この設定画面には、チャイルドロックの有効および無効の操作方法の設定と、テーブルに登録されている動作設定の変更のいずれかを指定するスイッチが含まれている。
【００４３】
次に、設定内容の判定を行う（Ｓ１０２）。すなわち、チャイルドロックの有効および無効の操作方法の設定と、テーブルに登録されている動作設定の変更のどちらを実施するかの判定を行う。
【００４４】
ここで、ユーザによりチャイルドロックの有効および無効の操作方法が指定されると、チャイルドロックの有効および無効の操作方法の設定および操作方法の記憶を行う（Ｓ１０４）。具体的には、チャイルドロックの有効および無効の操作方法の設定画面を表示させ、ユーザ操作によって指定された操作方法をフラッシュメモリに記憶させる。
【００４５】
本実施形態におけるナビゲーション装置１は、以下に示す（１）〜（３）の方法により、チャイルドロック機能の有効および無効の操作を行うことが可能となっている。
（１）予め定められた複数の操作スイッチ１２ａの同時操作
予め定められた複数の操作スイッチ１２ａを同時に操作することにより、チャイルドロック機能の有効および解除ができるようになっている。例えば、表示装置１３のディスプレイの右側に配置された操作スイッチ１２ａのうち、最上部の操作スイッチ１２ａと上から３番目の操作スイッチ１２ａを同時に押すことによりチャイルドロック機能の有効および解除ができるようになっている。
（２）特定の操作順序に従った操作部に対する操作
操作部に対する特定の操作順序に従った操作を行うことにより、チャイルドロック機能の有効および解除ができるようになっている。例えば、表示装置１３のディスプレイの右側に配置された操作スイッチ１２ａのうち、最上部の操作スイッチ１２ａを操作した後、上から３番目の操作スイッチ１２ａを操作することによりチャイルドロック機能の有効および解除ができるようになっている。
（３）操作部に対する長押し操作
操作部に対する長押し操作により、チャイルドロック機能の有効および解除ができるようになっている。例えば、表示装置１３のディスプレイの右側に配置された操作スイッチ１２ａのうち、最上部の操作スイッチ１２ａを一定時間以上長押しすることによりチャイルドロック機能の有効および解除ができるようになっている。
（４）遠隔操作するためのリモコン操作
本実施形態における搭載車両のステアリングには、遠隔操作するためのリモコンが設けられている。このリモコンに対する操作に応じてチャイルドロック機能の有効および解除ができるようになっている。なお、本実施形態において、このリモコンに設けられた操作スイッチは操作部１２には含まれない。
【００４６】
上記（１）〜（４）の中からユーザ操作により指定された操作方法をフラッシュメモリに記憶させ、本処理を終了する。
【００４７】
また、Ｓ１０２の設定内容の判定において、ユーザによりテーブルに登録されている動作設定の変更が指定されると、次に、この動作設定の変更で使用するデータの決定を行う（Ｓ１０６）。具体的には、ユーザ操作に応じて新規のデータを用いて動作設定の変更を行うか、既存のデータを用いて動作設定の変更を行うかを決定する。
【００４８】
ユーザ操作により既存のデータを用いて動作設定の変更を行うことが指示されると、制御装置１７に内蔵されたフラッシュメモリに既に記憶されている写真、音声等のデータを読み出し（Ｓ１０８）、次に、表示設定およびパターン設定を行う（Ｓ１１０）。ここでは、ユーザ操作に応じて、表示装置１３に切り替えて表示する画像および表示パターンの設定を行う。なお、表示パターンには、写真一枚を表示するシングル表示パターン、複数の写真を同時に表示するマルチパターン等がある。
【００４９】
次に、表示順設定を行う（Ｓ１１２）。具体的には、ユーザ操作に応じて、表示装置１３に切り替えて表示する写真やスピーカ１６より切り替えて出力する音声等の順序の設定を行う。なお、この順序の設定には、ユーザ操作により指定されるユーザ設定、ランダム等がある。
【００５０】
次に、Ｓ１１０、Ｓ１１２にて設定した各内容をフラッシュメモリに記憶させ（Ｓ１１４）、本処理を終了する。
【００５１】
また、Ｓ１０６の使用するデータの判定において、ユーザ操作により新規のデータを用いて動作設定の変更を行うことが指示されると、次に、ユーザ操作に応じて外部メモリ１４に記憶された写真、画像および音声等のデータを特定するとともに制御装置１７に内蔵されたフラッシュメモリに記憶させる（Ｓ１１６）。具体的には、チャイルドロック機能の有効時に操作部１２に対する操作が実施された場合の動作についての設定画面が表示されるようになっており、ユーザはこの設定画面に従って複数のガードレベルに対応付けて好みの動作を登録することができるようになっている。
【００５２】
次に、制御装置１７に内蔵されたフラッシュメモリに既に記憶させた写真、音声等のデータを読み出し（Ｓ１１８）、Ｓ１１０へ進む。
【００５３】
以下、上記した既存のデータを用いて動作設定の変更を行った場合と同様に、Ｓ１１０、Ｓ１１２、Ｓ１１４の各処理を実施し、本処理を終了する。
【００５４】
本ナビゲーション装置１は、チャイルドロック機能の有効時に操作部１２に対する操作が実施されると、フラッシュメモリに記憶されたテーブルを参照して、予め設定されたガードレベルに対応するパターンに従った動作を実施する処理を行う。
【００５５】
図４に、この処理のフローチャートを示す。ユーザ操作に応じてチャイルドロック機能を有効にすると、制御装置１７は、図４に示す処理を開始する。
【００５６】
まず、予め設定されているガードレベルを判定する（Ｓ２００）。本ナビゲーション装置１は、初期状態におけるガードレベルはガードレベル１に設定されるようになっており、ユーザ操作によりガードレベル２〜４への変更が可能となっている。
【００５７】
したがって、初期状態ではガードレベル１と判定され、次に、フラッシュメモリに記憶されたテーブルを参照して、ガードレベル１に対応付けられたパターン１の動作を特定する（Ｓ２１０）。
【００５８】
本実施形態において、テーブルには、ガードレベル１に対応付けて、操作部１２に対する本来の操作を全て無効とする動作がパターン１として規定されている。したがって、チャイルドロックを解除するための特定の操作を例外として、操作部１２に対する本来の操作を全て無効とする動作を特定する。
【００５９】
次に、パターン１に従った動作を実施する（Ｓ２１２）。すなわち、操作部１２に対する本来の操作を全て無効とする動作となる。
【００６０】
また、ガードレベルの設定がガードレベル２に変更されている場合には、フラッシュメモリに記憶されたテーブルを参照して、ガードレベル２に対応付けられたパターン２の動作を特定する（Ｓ２２０）。
【００６１】
本実施形態において、テーブルには、ガードレベル２に対応付けて、操作部１２に対する本来の操作を無効とし、操作部１２に対する操作に応じて予め登録された複数の音を切り替えてスピーカ１６より出力させる動作が規定されている。したがって、チャイルドロックを解除するための特定の操作を例外として、操作部１２に対する操作に応じて予め登録された複数の音が、予め登録された順序で切り替えてスピーカ１６より出力させる動作を特定する。
【００６２】
そして、パターン２に従った動作を実施する（Ｓ２２２）。すなわち、操作部１２に対する操作に応じて、予め登録された複数の音が予め登録された順序で切り替えてスピーカ１６より出力される。例えば、操作部１２に対する操作に応じて楽曲のメロディー音がスピーカ１６より出力される。
【００６３】
また、ガードレベルの設定がガードレベル３に変更されている場合には、フラッシュメモリに記憶されたテーブルを参照して、ガードレベル３に対応付けられたパターン３の動作を特定する（Ｓ２３０）。
【００６４】
本実施形態において、テーブルには、ガードレベル３に対応付けて、操作部１２に対する本来の操作を無効とし、操作部１２に対する操作に応じて予め登録された複数の画像を切り替えて表示装置１３のディスプレイに表示させる動作が規定されている。したがって、チャイルドロックを解除するための特定の操作を例外として、操作部１２に対する操作に応じて、予め登録された複数の画像を予め登録された順序で切り替えて表示装置１３のディスプレイに表示させる動作を特定する。
【００６５】
そして、パターン３に従った動作を実施する（Ｓ２３２）。すなわち、操作部１２に対する操作に応じて、予め登録された複数の画像が予め登録された順序で切り替えて表示装置１３のディスプレイに表示される。
【００６６】
また、ガードレベルの設定がガードレベル４に変更されている場合には、フラッシュメモリに記憶されたテーブルを参照して、ガードレベル４に対応付けられたパターン４の動作を特定する（Ｓ２４０）。
【００６７】
本実施形態において、テーブルには、ガードレベル４に対応付けて、操作部１２に対する本来の操作を無効とし、操作部１２に対する操作に応じて予め登録された機能を実施する動作が規定されている。なお、本実施形態においては、予め登録された機能は簡単なゲームとなっている。したがって、したがって、チャイルドロックを解除するための特定の操作を例外として、操作部１２に対する操作に応じて簡単なゲームを実施する動作を特定する。
【００６８】
そして、パターン４に従った動作を実施する（Ｓ２４２）。すなわち、操作部１２に対する操作に応じてゲームを操作することができる。
【００６９】
上記した構成によれば、チャイルドロック機能の有効時に操作部に対する操作が実施された場合の動作について、複数のガードレベルに対応付けて複数のパターンを規定したテーブルを記憶する記憶媒体を備え、チャイルドロック機能の有効時に操作部に対する操作が実施されると、記憶媒体に記憶されたテーブルを参照して、予め設定されたガードレベルに対応するパターンに従った動作が実施されるので、チャイルドロック機能を果たしつつ子供等の欲求を満たすことが可能である。
【００７０】
また、テーブルには、特定のガードレベルに対応付けて、操作部に対する本来の操作を無効とし、操作部に対する操作に応じて予め登録された複数の音が切り替えてスピーカより出力される動作が規定されているので、操作部に対する操作に応じて予め登録された複数の音を切り替えてスピーカより出力させることができる。
【００７１】
また、チャイルドロック機能の有効時に、ユーザ操作に応じてテーブルに規定された複数の音およびスピーカより出力させる順序を登録することが可能となっているので、ユーザの好みに合った音をユーザの好みに合った順序でスピーカより出力させることが可能である。
【００７２】
また、テーブルには、特定のガードレベルに対応付けて、操作部に対する本来の操作を無効とし、操作部に対する操作に応じて予め登録された複数の画像を切り替えて表示装置に表示させる動作が規定されているので、操作部に対する操作に応じて予め登録された複数の画像を切り替えて表示装置に表示させることができる。
【００７３】
また、チャイルドロック機能の有効時に、ユーザ操作に応じてテーブルに規定された複数の画像および表示装置に表示させる順序を登録することが可能となっているので、ユーザの好みに合った画像をユーザの好みに合った順序で表示装置に表示させることができる。
【００７４】
また、テーブルには、特定のガードレベルに対応付けて、操作部に対する本来の操作を無効とし、操作部に対する操作に応じて予め登録された機能を実施する動作が規定されているので、操作部に対する操作に応じて予め登録された機能を実施することができる。
【００７５】
また、遠隔操作するためのリモコンを備え、リモコンに対する操作に応じてチャイルドロック機能の有効または解除を実施することが可能となっているので、子供等に気付かれないようにチャイルドロック機能の有効または解除を操作することが可能である。
【００７６】
また、チャイルドロック機能の有効または解除のための操作が簡単な操作でできてしまうと、子供等が操作部を操作しているうちにチャイルドロック機能の状態が切り替わってしまうことが考えられるが、予め定められた複数の操作部に対する同時操作に応じてチャイルドロック機能の有効または解除を実施することにより、子供等が操作部を操作しているうちにチャイルドロック機能の状態が切り替わってしまうことを防止することが可能である。
【００７７】
また、予め定められた操作部に対する長押し操作に応じてチャイルドロック機能の有効または解除を実施することにより、子供等が操作部を操作しているうちにチャイルドロック機能の状態が切り替わってしまうことを防止することも可能である。
【００７８】
また、複数の操作部に対する特定の操作順序に応じてチャイルドロック機能の有効または解除を実施することにより、子供等が操作部を操作しているうちにチャイルドロック機能の状態が切り替わってしまうことを防止することも可能である。
【００７９】
なお、本発明は上記実施形態に限定されるものではなく、本発明の趣旨に基づいて種々なる形態で実施することができる。
【００８０】
例えば、上記実施形態では、ガードレベル１から４に対応付けて、それぞれパターン１〜４の動作を実施したが、例えば、チャイルドロック機能の無効時に操作部１２に対して実施された操作内容に基づいてユーザの成熟の度合いを推定し、この推定したユーザの成熟の度合いに応じてガードレベルの設定を変更するように構成し、変更されたガードレベルに対応するパターンに従った動作を実施するようにしてもよい。この場合、例えば、チャイルドロック機能の無効時に、操作部１２に対して実施された操作に対する無効操作の数の割合が高いほどユーザの成熟の度合いが低いと推定することができる。また、例えば、ユーザの成熟の度合いが低い場合には、ガードレベルの設定をガードレベル１とし、ユーザの成熟の度合いが高くなるにつれて、ガードレベルの設定がガードレベル２、３となるように変更してもよい。また、ユーザの成熟の度合いからユーザの成長レベルを判断して表示させるようにしてもよい。
【００８１】
また、上記実施形態では、ユーザ操作に応じてガードレベルの設定を変更する構成を示したが、例えば、搭載車両の車速を特定し、この搭載車両の車速に応じてガードレベルの設定を変更するように構成し、変更されたガードレベルに対応するパターンに従った動作を実施するように構成してもよい。この場合、例えば、搭載車両が停車している間はガードレベルを２にし、車両の車速が予め定められた基準値以上になると、ガードレベルを１に変更するようにしてもよい。
【００８２】
また、上記実施形態では、パターン２では、操作部１２に対する操作に応じて予め登録された複数の音を、予め登録された順序で切り替えてスピーカ１６より出力させる動作が規定され、パターン３では、操作部１２に対する操作に応じて予め登録された複数の画像を切り替えて表示装置１３のディスプレイに表示させる動作が規定された構成を示したが、パターン２とパターン３の動作を組み合わせて、操作部１２に対する操作に応じて音と画像の両方が切り替わる動作としてパターンを規定してもよい。
【００８３】
また、上記実施形態では  予め定められた複数の操作部に対する同時操作、あるいは、複数の操作部に対する特定の操作順序に応じてチャイルドロック機能の有効または解除を実施する構成示したが、例えば、特定の操作部を基準時間（例えば、３秒）以上に長押し操作したことに基づいてチャイルドロック機能の有効または解除を実施するようにしてもよい。
【００８４】
なお、上記実施形態における構成と特許請求の範囲の構成との対応関係について説明すると、制御装置１７に内蔵されたフラッシュメモリが記憶媒体に相当し、Ｓ２００、Ｓ２１０〜Ｓ２４２が実施手段に相当し、表示装置１３が表示手段に相当する。
【符号の説明】
【００８５】
１      ナビゲーション装置
１０    位置検出器
１０ａ  加速度センサ
１０ｂ  ジャイロセンサ
１０ｃ  距離センサ
１０ｄ  ＧＰＳ受信機
１１    地図データ記憶装置
１２    操作部
１３    表示装置
１４    外部メモリ
１５    マイク
１６    スピーカ
１７    制御装置
【図１】
0005440224.tif 000002
【図２】
0005440224.tif 000003
【図３】
0005440224.tif 000004
【図４】
0005440224.tif 000005